(57)【要約】【課題】  小型なままＦ値を１．４程度に明るくし、かつ大型の撮像素子に対応させ、更にフォーカス群を軽量にすることで滑らかなコントラストＡＦを実現できる大口径広角レンズを提供する。【解決手段】  物体側から順に、負の屈折力の第１レンズ群Ｇ１と、開口絞りＳと、正の屈折力の第２レンズ群Ｇ２と、正の屈折力の第３レンズ群Ｇ３と、負の屈折力の第４レンズ群Ｇ４より構成され、前記第１レンズ群Ｇ１は物体側から順に負の屈折力の第１Ａレンズ群Ｇ１Ａと正の屈折力の第１Ｂレンズ群Ｇ１Ｂより構成され、前記第１Ｂレンズ群Ｇ１Ｂの最も物体側のレンズは前記第１レンズ群Ｇ１内において横倍率の絶対値が最も大きい正の屈折力の単レンズまたは接合レンズであり、無限遠から近距離へのフォーカシングに際して第３レンズ群Ｇ３が光軸に沿って物体側へ移動し、所定の条件式を満たすことを特徴とする大口径広角レンズとした。【選択図】図１
2018205527.tif 000002
【特許請求の範囲】
【請求項１】
物体側から順に、負の屈折力の第１レンズ群Ｇ１と、開口絞りＳと、正の屈折力の第２レンズ群Ｇ２と、正の屈折力の第３レンズ群Ｇ３と、負の屈折力の第４レンズ群Ｇ４より構成され、
前記第１レンズ群Ｇ１は物体側から順に負の屈折力の第１Ａレンズ群Ｇ１Ａと正の屈折力の第１Ｂレンズ群Ｇ１Ｂより構成され、前記第１Ｂレンズ群Ｇ１Ｂの最も物体側のレンズは前記第１レンズ群Ｇ１内において横倍率の絶対値が最も大きい正の屈折力の単レンズまたは接合レンズであり、
無限遠から近距離へのフォーカシングに際して第３レンズ群Ｇ３が光軸に沿って物体側へ移動し、以下の条件式（１）（２）（３）を満たすことを特徴とする大口径広角レンズ。
（１）−２．４＜ｆ１／ｆ＜−０．６
（２）−０．３＜ｆ１Ａ／ｆ１Ｂ＜０．０
（３）０．１＜ｆ１Ａ／ｆ４＜０．５
但し、
ｆ：無限遠合焦時のレンズ系全体の焦点距離
ｆ１：第１レンズ群Ｇ１の焦点距離
ｆ１Ａ：第１Ａレンズ群Ｇ１Ａの焦点距離
ｆ１Ｂ：第１Ｂレンズ群Ｇ１Ｂの焦点距離
ｆ４：第４レンズ群Ｇ４の焦点距離
【請求項２】
物体側から順に、負の屈折力の第１レンズ群Ｇ１と、開口絞りＳと、正の屈折力の第２レンズ群Ｇ２と、正の屈折力の第３レンズ群Ｇ３と、負の屈折力の第４レンズ群Ｇ４より構成され、
前記第１レンズ群Ｇ１は物体側から順に負の屈折力の第１Ａレンズ群Ｇ１Ａと正の屈折力の第１Ｂレンズ群Ｇ１Ｂより構成され、前記第１Ｂレンズ群Ｇ１Ｂの最も物体側のレンズは前記第１レンズ群Ｇ１内において横倍率の絶対値が最も大きい正の屈折力の単レンズまたは接合レンズであり、
前記第１Ｂレンズ群Ｇ１Ｂは物体側から順に正の屈折力の第１Ｂｐレンズ群Ｇ１Ｂｐと負の屈折力の第１Ｂｍレンズ群Ｇ１Ｂｍより構成され、
前記第１Ｂｐレンズ群Ｇ１Ｂｐと第１Ｂｍレンズ群Ｇ１Ｂｍを分ける位置は、第１Ｂレンズ群Ｇ１Ｂ内において無限遠合焦時に第１Ｂｍレンズ群Ｇ１Ｂｍから像面までのレンズ群の合成光学系の横倍率が最大になる空気間隔とし、
無限遠から近距離へのフォーカシングに際して第３レンズ群Ｇ３が光軸に沿って物体側へ移動し、以下の条件式（１）（２）（３）を満たすことを特徴とする大口径広角レンズ。
（１）−２．４＜ｆ１／ｆ＜−０．６
（２）−０．３＜ｆ１Ａ／ｆ１Ｂ＜０．０
（３）０．１＜ｆ１Ａ／ｆ４＜０．５
但し、
ｆ：無限遠合焦時のレンズ系全体の焦点距離
ｆ１：第１レンズ群Ｇ１の焦点距離
ｆ１Ａ：第１Ａレンズ群Ｇ１Ａの焦点距離
ｆ１Ｂ：第１Ｂレンズ群Ｇ１Ｂの焦点距離
ｆ４：第４レンズ群Ｇ４の焦点距離
【請求項３】
前記第１Ｂレンズ群Ｇ１Ｂは物体側から順に正の屈折力の第１Ｂｐレンズ群Ｇ１Ｂｐと負の屈折力の第１Ｂｍレンズ群Ｇ１Ｂｍより構成され、
前記第１Ｂｐレンズ群Ｇ１Ｂｐと第１Ｂｍレンズ群Ｇ１Ｂｍを分ける位置は、第１Ｂレンズ群Ｇ１Ｂ内において無限遠合焦時に第１Ｂｍレンズ群Ｇ１Ｂｍから像面までのレンズ群の合成光学系の横倍率が最大になる空気間隔とし、以下の条件式（４）を満たすことを特徴とする請求項１に記載の大口径広角レンズ。
（４）０．５＜Ｄ１Ｂ／Ｄ１Ｓ＜０．７５
但し、
Ｄ１Ｂ：第１レンズ群Ｇ１の最も物体側の面から第１Ｂレンズ群Ｇ１Ｂの最も物体側の面までの光軸上の長さ
Ｄ１Ｓ：第１レンズ群Ｇ１の最も物体側の面から絞りまでの光軸上の長さ
【請求項４】
前記第１Ｂｐレンズ群Ｇ１Ｂｐは２枚以上の凸レンズを有し、第１Ｂｐレンズ群Ｇ１Ｂｐと前記第１Ｂｍレンズ群Ｇ１Ｂｍの無限遠合焦時の横倍率は共に負であり、以下の条件式（５）（６）を満たすことを特徴とする請求項２又は請求項３に記載の大口径広角レンズ。
（５）−１．８＜β１Ｂｐ＜−０．６
（６）５０＜ν１Ｂｐ＜８０
但し、
β１Ｂｐ：第１Ｂｐレンズ群Ｇ１Ｂｐの無限遠合焦時の横倍率
ν１Ｂｐ：第１Ｂｐレンズ群Ｇ１Ｂｐ内の凸レンズのアッベ数の平均
【請求項５】
前記第３レンズ群Ｇ３は１枚の凸レンズからなり、以下の条件式（７）（８）を満たすことを特徴とする請求項１乃至４のいずれかに記載の大口径広角レンズ。
（７）０．１＜ｆ２／ｆ３＜０．４４
（８）０．５２＜ＳＩ／ｆ３＜１．０
但し、
ｆ２：第２レンズ群Ｇ２の焦点距離
ｆ３：第３レンズ群Ｇ３の焦点距離
ＳＩ：無限遠合焦時の絞りから像面までの長さ
【請求項６】
以下の条件式（９）を満たすことを特徴とする請求項１乃至５のいずれかに記載の大口径広角レンズ。
（９）２．５＜ＥＸＰ／ＩＨ＜４．５
但し、
ＥＸＰ：無限遠合焦時の射出瞳から像面までの長さ
ＩＨ：最大像高
【発明の詳細な説明】
【技術分野】
【０００１】
本発明はデジタルカメラ、ビデオカメラなどに用いられる撮影レンズに好適な、Ｆ値が１．４程度と明るく、大型の撮像素子に対応した大口径広角レンズに関する。
【背景技術】
【０００２】
近年、レンズ交換式カメラとして従来の一眼レフレックスファインダーに代えて電子ビューファインダーを備えることによりクイックリターンミラーを廃止した、所謂ミラーレス一眼カメラが急速に普及している。ミラーレス一眼カメラはクイックリターンミラー及びその駆動機構、ペンタプリズム等が不要であり、従来の一眼レフレックスカメラと比べて大幅に小型化できるため広く支持されている。
【０００３】
ミラーレス一眼カメラのオートフォーカスではフォーカスレンズを光軸方向へ微少駆動（ウォブリング）させてコントラストのピークを検出する、所謂コントラストＡＦを採用する場合が多い。そのため、高速で滑らかなコントラストＡＦを実現するためにはフォーカス群を十分に軽くすることが求められている。
【０００４】
フォーカス群を軽量化するには、前玉繰り出しではなくインナーフォーカスまたはリアフォーカスを採用することが有効である。インナーフォーカスまたはリアフォーカス形式の広角レンズとして、例えば以下の特許文献が挙げられる。
【０００５】
特許文献１に記載された広角レンズはＦ１．０程度の大口径で、絞りより像面側の４枚のレンズでフォーカシングを行う形式である。
【０００６】
特許文献２に記載された広角レンズは１枚の凸レンズによるインナーフォーカス形式を採用することでフォーカス群の軽量化を図っている。
【０００７】
特許文献３に記載された広角レンズはＦ１．８程度に大口径化しつつ２枚以下のレンズによるインナーフォーカス形式を採用することでフォーカス群の軽量化を図っている。
【先行技術文献】
【特許文献】
【０００８】
【特許文献１】特開２０１４−０３２２３１号公報
【特許文献２】特開２０１４−０３５４５８号公報
【特許文献３】国際公開ＷＯ２０１３／１１８４６６号公報
【発明の概要】
【発明が解決しようとする課題】
【０００９】
しかしながら、特許文献１に記載の広角レンズではフォーカス群が重く、高速で滑らかなコントラストＡＦを実現することは困難である。
【００１０】
特許文献２に記載の広角レンズではＦ値が２．８程度の実施例しか開示されておらず、この構成からＦ１．４の大口径を達成することは困難である。
【００１１】
特許文献３に記載の広角レンズでは、開示されている実施例を大型の撮像素子に合わせてスケーリングするとレンズ系全長が長くなってしまい、大型の撮像素子に対応した小型軽量なレンズ系の実現が困難である。
【００１２】
本発明はこのような状況に鑑みてなされたものであり、小型なままＦ値を１．４程度に明るくし、かつ大型の撮像素子に対応させ、更にフォーカス群を軽量にすることで滑らかなコントラストＡＦを実現できる大口径広角レンズを提供することを目的とする。
【課題を解決するための手段】
【００１３】
上記課題を解決するための手段である第１の発明は、物体側から順に、負の屈折力の第１レンズ群Ｇ１と、開口絞りＳと、正の屈折力の第２レンズ群Ｇ２と、正の屈折力の第３レンズ群Ｇ３と、負の屈折力の第４レンズ群Ｇ４より構成され、前記第１レンズ群Ｇ１は物体側から順に負の屈折力の第１Ａレンズ群Ｇ１Ａと正の屈折力の第１Ｂレンズ群Ｇ１Ｂより構成され、前記第１Ｂレンズ群Ｇ１Ｂの最も物体側のレンズは前記第１レンズ群Ｇ１内において横倍率の絶対値が最も大きい正の屈折力の単レンズまたは接合レンズであり、無限遠から近距離へのフォーカシングに際して第３レンズ群Ｇ３が光軸に沿って物体側へ移動し、以下の条件式（１）（２）（３）を満たすことを特徴とする大口径広角レンズである。
（１）−２．４＜ｆ１／ｆ＜−０．６
（２）−０．３＜ｆ１Ａ／ｆ１Ｂ＜０．０
（３）０．１＜ｆ１Ａ／ｆ４＜０．５
但し、
ｆ：無限遠合焦時のレンズ系全体の焦点距離
ｆ１：第１レンズ群Ｇ１の焦点距離
ｆ１Ａ：第１Ａレンズ群Ｇ１Ａの焦点距離
ｆ１Ｂ：第１Ｂレンズ群Ｇ１Ｂの焦点距離
ｆ４：第４レンズ群Ｇ４の焦点距離
【００１４】
また、第２の発明は、物体側から順に、負の屈折力の第１レンズ群Ｇ１と、開口絞りＳと、正の屈折力の第２レンズ群Ｇ２と、正の屈折力の第３レンズ群Ｇ３と、負の屈折力の第４レンズ群Ｇ４より構成され、前記第１レンズ群Ｇ１は物体側から順に負の屈折力の第１Ａレンズ群Ｇ１Ａと正の屈折力の第１Ｂレンズ群Ｇ１Ｂより構成され、前記第１Ｂレンズ群Ｇ１Ｂの最も物体側のレンズは前記第１レンズ群Ｇ１内において横倍率の絶対値が最も大きい正の屈折力の単レンズまたは接合レンズであり、前記第１Ｂレンズ群Ｇ１Ｂは物体側から順に正の屈折力の第１Ｂｐレンズ群Ｇ１Ｂｐと負の屈折力の第１Ｂｍレンズ群Ｇ１Ｂｍより構成され、前記第１Ｂｐレンズ群Ｇ１Ｂｐと第１Ｂｍレンズ群Ｇ１Ｂｍを分ける位置は、第１Ｂレンズ群Ｇ１Ｂ内において無限遠合焦時に第１Ｂｍレンズ群Ｇ１Ｂｍから像面までのレンズ群の合成光学系の横倍率が最大になる空気間隔とし、無限遠から近距離へのフォーカシングに際して第３レンズ群Ｇ３が光軸に沿って物体側へ移動し、以下の条件式（１）（２）（３）を満たすことを特徴とする大口径広角レンズである。
（１）−２．４＜ｆ１／ｆ＜−０．６
（２）−０．３＜ｆ１Ａ／ｆ１Ｂ＜０．０
（３）０．１＜ｆ１Ａ／ｆ４＜０．５
【００１５】
また、第３の発明は、第１の発明においてさらに、前記第１Ｂレンズ群Ｇ１Ｂは物体側から順に正の屈折力の第１Ｂｐレンズ群Ｇ１Ｂｐと負の屈折力の第１Ｂｍレンズ群Ｇ１Ｂｍより構成され、前記第１Ｂｐレンズ群Ｇ１Ｂｐと第１Ｂｍレンズ群Ｇ１Ｂｍを分ける位置は、第１Ｂレンズ群Ｇ１Ｂ内において無限遠合焦時に第１Ｂｍレンズ群Ｇ１Ｂｍから像面までのレンズ群の合成光学系の横倍率が最大になる空気間隔とし、以下の条件式（４）を満たすことを特徴とする請求項１に記載の大口径広角レンズである。
（４）０．５＜Ｄ１Ｂ／Ｄ１Ｓ＜０．７５
但し、
Ｄ１Ｂ：第１レンズ群Ｇ１の最も物体側の面から第１Ｂレンズ群Ｇ１Ｂの最も物体側の面までの光軸上の長さ
Ｄ１Ｓ：第１レンズ群Ｇ１の最も物体側の面から絞りまでの光軸上の長さ
【００１６】
また、第４の発明は、第２の発明又は第３の発明においてさらに、前記第１Ｂｐレンズ群Ｇ１Ｂｐは２枚以上の凸レンズを有し、第１Ｂｐレンズ群Ｇ１Ｂｐと前記第１Ｂｍレンズ群Ｇ１Ｂｍの無限遠合焦時の横倍率は共に負であり、以下の条件式（５）（６）を満たすことを特徴とする請求項２又は請求項３に記載の大口径広角レンズ。
（５）−１．８＜β１Ｂｐ＜−０．６
（６）５０＜ν１Ｂｐ＜８０
但し、
β１Ｂｐ：第１Ｂｐレンズ群Ｇ１Ｂｐの無限遠合焦時の横倍率
ν１Ｂｐ：第１Ｂｐレンズ群Ｇ１Ｂｐ内の凸レンズのアッベ数の平均
【００１７】
また、第５の発明は、第１乃至第４の発明においてさらに、前記第３レンズ群Ｇ３は１枚の凸レンズからなり、以下の条件式（７）（８）を満たすことを特徴とする大口径広角レンズである。
（７）０．１＜ｆ２／ｆ３＜０．４４
（８）０．５２＜ＳＩ／ｆ３＜１．０
但し、
ｆ２：第２レンズ群Ｇ２の焦点距離
ｆ３：第３レンズ群Ｇ３の焦点距離
ＳＩ：無限遠合焦時の絞りから像面までの長さ
【００１８】
また、第６の発明は、第１乃至第５の発明においてさらに、以下の条件式（９）を満たすことを特徴とする大口径広角レンズである。
（９）２．５＜ＥＸＰ／ＩＨ＜４．５
但し、
ＥＸＰ：無限遠合焦時の射出瞳から像面までの長さ
ＩＨ：最大像高
【発明の効果】
【００１９】
本発明によれば、小型なままＦ値を１．４程度に明るくし、かつ大型の撮像素子に対応させ、更にフォーカス群を軽量にすることで滑らかなコントラストＡＦを実現できる大口径広角レンズを提供することができる。
【図面の簡単な説明】
【００２０】
【図１】本発明の大口径広角レンズの実施例１に係るレンズ構成図である。
【図２】実施例１の大口径広角レンズの無限遠合焦時の縦収差図である。
【図３】実施例１の大口径広角レンズの撮影倍率４０倍における縦収差図である。
【図４】実施例１の大口径広角レンズの無限遠合焦時の横収差図である。
【図５】実施例１の大口径広角レンズの撮影倍率４０倍における横収差図である。
【図６】本発明の大口径広角レンズの実施例２に係るレンズ構成図である。
【図７】実施例２の大口径広角レンズの無限遠合焦時の縦収差図である。
【図８】実施例２の大口径広角レンズの撮影倍率４０倍における縦収差図である。
【図９】実施例２の大口径広角レンズの無限遠合焦時の横収差図である。
【図１０】実施例２の大口径広角レンズの撮影倍率４０倍における横収差図である。
【図１１】本発明の大口径広角レンズの実施例３に係るレンズ構成図である。
【図１２】実施例３の大口径広角レンズの無限遠合焦時の縦収差図である。
【図１３】実施例３の大口径広角レンズの撮影倍率４０倍における縦収差図である。
【図１４】実施例３の大口径広角レンズの無限遠合焦時の横収差図である。
【図１５】実施例３の大口径広角レンズの撮影倍率４０倍における横収差図である。
【図１６】本発明の大口径広角レンズの実施例４に係るレンズ構成図である。
【図１７】実施例４の大口径広角レンズの無限遠合焦時の縦収差図である。
【図１８】実施例４の大口径広角レンズの撮影倍率４０倍における縦収差図である。
【図１９】実施例４の大口径広角レンズの無限遠合焦時の横収差図である。
【図２０】実施例４の大口径広角レンズの撮影倍率４０倍における横収差図である。
【図２１】本発明の大口径広角レンズの実施例５に係るレンズ構成図である。
【図２２】実施例５の大口径広角レンズの無限遠合焦時の縦収差図である。
【図２３】実施例５の大口径広角レンズの撮影倍率４０倍における縦収差図である。
【図２４】実施例５の大口径広角レンズの無限遠合焦時の横収差図である。
【図２５】実施例５の大口径広角レンズの撮影倍率４０倍における横収差図である。
【図２６】本発明の大口径広角レンズの実施例６に係るレンズ構成図である。
【図２７】実施例６の大口径広角レンズの無限遠合焦時の縦収差図である。
【図２８】実施例６の大口径広角レンズの撮影倍率４０倍における縦収差図である。
【図２９】実施例６の大口径広角レンズの無限遠合焦時の横収差図である。
【図３０】実施例６の大口径広角レンズの撮影倍率４０倍における横収差図である。
【発明を実施するための形態】
【００２１】
以下に、本発明にかかる光学系の実施例について詳細に説明する。なお、以下の実施例の説明は本発明の光学系の一例を説明したものであり、本発明はその要旨を逸脱しない範囲において本実施例に限定されるものではない。
【００２２】
本発明の結像光学系は、図１及び図６、図１１、図１６、図２１、図２６に示すレンズ構成図からわかるように、物体側から順に、負の屈折力の第１レンズ群Ｇ１と、開口絞りＳと、正の屈折力の第２レンズ群Ｇ２と、正の屈折力の第３レンズ群Ｇ３と、負の屈折力の第４レンズ群Ｇ４より構成され、無限遠から近距離へのフォーカシングに際して第３レンズ群Ｇ３が光軸に沿って物体側へ移動する構成となっている。
【００２３】
また、前記第１レンズ群Ｇ１は物体側から順に負の屈折力の第１Ａレンズ群Ｇ１Ａと正の屈折力の第１Ｂレンズ群Ｇ１Ｂより構成され、前記第１Ｂレンズ群Ｇ１Ｂの最も物体側のレンズは前記第１レンズ群Ｇ１内において横倍率の絶対値が最も大きい正の屈折力の単レンズまたは接合レンズである。
【００２４】
広角レンズにおいて、周辺光線は光軸に対して大きな角度で入射する。従って、負の第１レンズ群により周辺光線の絞りへの射出角を緩やかにし、絞りから像面側に位置する正の第２レンズ群で更に緩やかにすることで撮像素子への周辺光線入射角を小さく抑えることが可能になり、光束が太い大口径レンズでも周辺光線が撮像素子の受光部でけられにくくなる。正の第２レンズ群により軸上光束が収束されるため、第２レンズ群よりも像面側の第３レンズ群でフォーカシングを行うことによってフォーカス群の径の肥大化を防ぐことができ、フォーカス群を軽量化して高速で滑らかなコントラストＡＦが可能な大口径広角レンズを実現できる。
【００２５】
第１レンズ群Ｇ１を物体側から順に負の屈折力の第１Ａレンズ群Ｇ１Ａと正の屈折力の第１Ｂレンズ群Ｇ１Ｂより構成することで、第１Ａレンズ群Ｇ１Ａにより跳ね上げられた軸上マージナル光線の光軸に対する角度を第１Ｂレンズ群Ｇ１Ｂで小さくして絞り径の肥大化を防ぎ、小型軽量な光学系を実現できる。また、絞り前は物体側から順に負の屈折力の第１Ａレンズ群Ｇ１Ａと正の屈折力の第１Ｂレンズ群Ｇ１Ｂが配置され、絞り後ろは物体側から順に共に正の屈折力の第２レンズ群Ｇ２と第３レンズ群Ｇ３、負の屈折力の第４レンズ群Ｇ４が配置されることで、絞り前後の屈折力配置の対称性が高まるため倍率色収差や歪曲収差の補正にも有利となる。
【００２６】
上記構成において高性能な大口径広角レンズを実現するためには以下の条件式（１）、（２）及び（３）を満たすことが望ましい。
（１）−２．４＜ｆ１／ｆ＜−０．６
（２）−０．３＜ｆ１Ａ／ｆ１Ｂ＜０．０
（３）０．１＜ｆ１Ａ／ｆ４＜０．５
但し、
ｆ：無限遠合焦時のレンズ系全体の焦点距離
ｆ１：第１レンズ群Ｇ１の焦点距離
ｆ１Ａ：第１Ａレンズ群Ｇ１Ａの焦点距離
ｆ１Ｂ：第１Ｂレンズ群Ｇ１Ｂの焦点距離
ｆ４：第４レンズ群Ｇ４の焦点距離
とする。
【００２７】
条件式（１）は、第１レンズ群Ｇ１と無限遠合焦時のレンズ系全体の焦点距離の比に関して好ましい範囲を規定するものである。条件式（１）を満たすことにより第１レンズ群Ｇ１の焦点距離を適切に設定し、小型軽量で結像性能が良好な大口径広角レンズを実現できる。
【００２８】
条件式（１）の下限を超え、第１レンズ群Ｇ１の負の屈折力が弱まるとバックフォーカスの確保が困難になる。一方、条件式（１）の上限を超え、第１レンズ群Ｇ１の負の屈折力が強まると、絞り径が肥大化して小型軽量なレンズ系の実現が困難になる。また、第２レンズ群Ｇ２への軸上マージナル光線の入射角及び光線高も大きくなるため、高次収差が悪化し、良好な結像性能の確保が困難になる。
【００２９】
また、条件式（１）の下限値を−２．２に、また、上限値を−０．８にすることで、本発明の効果をより確実に達成することができる。
【００３０】
条件式（２）は、第１Ａレンズ群Ｇ１Ａと第１Ｂレンズ群Ｇ１Ｂの焦点距離の比に関して好ましい範囲を規定するものである。条件式（２）を満たすことにより第１レンズ群内の屈折力配置を適切に設定し、小型軽量な光学系を実現できる。
【００３１】
条件式（２）の下限を超え、第１Ａレンズ群Ｇ１Ａの負の屈折力が弱まる、あるいは第１Ｂレンズ群Ｇ１Ｂの正の屈折力が強まると、入射瞳が像面側へ移動するため、本来入射していた周辺光線がけられることで周辺光量の確保が困難になる。また、第１レンズ群Ｇ１の像側主点が物体側へ移動し、第１レンズ群Ｇ１と第２レンズ群Ｇ２との間隔が狭くなることで、絞りユニットを配置する空間の確保が困難になる。一方、条件式（２）の上限を超え、第１Ａレンズ群Ｇ１Ａの負の屈折力が強まる、あるいは第１Ｂレンズ群Ｇ１Ｂの正の屈折力が弱まると、絞り径が肥大化し小型軽量な光学系の実現が困難になる。
【００３２】
また、条件式（２）の下限値を−０．２５にすることで、本発明の効果をより確実に達成することができる。
【００３３】
条件式（３）は、第１Ａレンズ群Ｇ１Ａと第４レンズ群Ｇ４の焦点距離の比に関して好ましい範囲を規定するものである。条件式（３）を満たすことにより倍率色収差及び歪曲収差が良好に補正され、また、周辺画角の光線における像面への入射角が抑えられた大口径広角レンズを実現できる。
【００３４】
条件式（３）の下限を超え、第４レンズ群Ｇ４の屈折力が第１Ａレンズ群Ｇ１Ａに対して相対的に弱まると、絞り前後での屈折力の非対称性が強まり、倍率色収差や負の歪曲収差の抑制が困難になる。
【００３５】
一方、条件式（３）の上限を超え、第１Ａレンズ群Ｇ１Ａの負の屈折力が弱まると、第１Ａレンズ群による周辺画角の主光線の光軸に対する射出角を小さくする効果が弱まり、第４レンズ群Ｇ４への周辺画角の主光線の入射角が大きくなる。また、第４レンズ群Ｇ４の負の屈折力が強まると、第４レンズ群による光線を跳ね上げる効果が強まる。よって周辺画角の主光線の像面への入射角がきつくなり、特に光束の太い大口径レンズでは撮像素子の受光部で光線がけられやすくなる。
【００３６】
また、上述した条件式（３）について、その下限値を０．１５に、また、上限値を０．４５に限定することで、前述の効果をより確実にできるため好ましい。
【００３７】
さらに本発明の大口径広角レンズでは、第１Ｂレンズ群Ｇ１Ｂは物体側から順に正の屈折力の第１Ｂｐレンズ群Ｇ１Ｂｐと負の屈折力の第１Ｂｍレンズ群Ｇ１Ｂｍより構成されることが望ましい。ここで前記第１Ｂｐレンズ群Ｇ１Ｂｐと第１Ｂｍレンズ群Ｇ１Ｂｍを分ける位置は、無限遠合焦時に第１Ｂｍレンズ群Ｇ１Ｂｍから像面までのレンズ群の合成光学系の横倍率が最大になる空気間隔とする。
【００３８】
正の屈折力の第１Ｂレンズ群Ｇ１Ｂには、第１Ａレンズ群Ｇ１Ａにより跳ね上げられた軸上マージナル光線の光軸に対する角度を小さくすることで絞り径の肥大化を防ぐ作用がある。第１Ｂレンズ群Ｇ１Ｂを物体側から順に正の屈折力の第１Ｂｐレンズ群Ｇ１Ｂｐと負の屈折力の第１Ｂｍレンズ群Ｇ１Ｂｍより構成することにより、第１Ｂレンズ群Ｇ１Ｂの像側主点が物体側へ移動し、第１Ｂレンズ群Ｇ１Ｂの最も像側の面における軸上マージナル光線高を低くすることができて第１Ｂレンズ群Ｇ１Ｂの像側に配置される絞り径の縮小に更に有利となる。
【００３９】
また、絞りより物体側を負の屈折力、像面側を正の屈折力とする一般的なレトロフォーカスタイプのレンズでは、絞りより像面側の正の屈折力の群で軸上色収差補正が行われる。ここで、本願のように絞りより物体側に正の屈折力の第１Ｂｐレンズ群Ｇ１Ｂｐと負の屈折力の第１Ｂｍレンズ群Ｇ１Ｂｍを導入することで、第１Ａレンズ群Ｇ１Ａによる光線の跳ね上げ効果により第１Ｂレンズ群Ｇ１Ｂにおいて軸上マージナル光線高が高くなる。また、第１Ｂｐレンズ群Ｇ１Ｂｐの凸レンズに低分散硝材を使用することで第１Ｂｐレンズ群Ｇ１Ｂｐと第１Ｂｍレンズ群Ｇ１Ｂｍとの間で軸上色収差の補正を行うことができる。よって第２レンズ群Ｇ２に加えて第１Ｂレンズ群Ｇ１Ｂ内でも軸上色収差の補正が可能となり、一般的なレトロフォーカスタイプよりも軸上色収差補正に有利となる。
【００４０】
本発明の大口径広角レンズでは、以下に示す条件式（４）を満たすことが望ましい。
（４）０．５＜Ｄ１Ｂ／Ｄ１Ｓ＜０．７５
但し、
Ｄ１Ｂ：第１レンズ群Ｇ１の最も物体側の面から第１Ｂレンズ群Ｇ１Ｂの最も物体側の面までの光軸上の長さ
Ｄ１Ｓ：第１レンズ群Ｇ１の最も物体側の面から絞りまでの光軸上の長さ
とする。
【００４１】
条件式（４）は、第１レンズ群Ｇ１内での第１Ｂレンズ群Ｇ１Ｂの光軸と平行な方向における位置に関して好ましい範囲を規定するものである。条件式（４）を満たすことにより、第１Ｂレンズ群Ｇ１Ｂ内における軸上色収差補正と球面収差補正をバランス良く行うことができる。
【００４２】
条件式（４）の下限を超え、第１Ｂレンズ群Ｇ１Ｂが第１Ａレンズ群Ｇ１Ａに近づくと第１Ｂレンズ群Ｇ１Ｂにおける軸上マージナル光線高が低くなるため、第１Ｂｐレンズ群Ｇ１Ｂｐと第１Ｂｍレンズ群Ｇ１Ｂｍとにおける軸上色収差補正効果が十分に得られなくなる。一方、条件式（４）の上限を超え、第１Ｂレンズ群Ｇ１Ｂが第１Ａレンズ群Ｇ１Ａから遠ざかると第１Ｂレンズ群Ｇ１Ｂにおける軸上マージナル光線高が高くなることで径が上がり、光学系が重くなる。また、第１Ｂレンズ群Ｇ１Ｂの最も物体側の面から絞りまでの長さが短くなることから第１Ｂレンズ群Ｇ１Ｂに使用できるレンズ枚数が限られ、第１Ｂレンズ群内での球面収差補正を十分に行えなくなる。
【００４３】
また、条件式（４）の下限値を０．５３に、また、上限値を０．７２にすることで、本発明の効果をより確実に達成することができる。
【００４４】
さらに本発明の大口径広角レンズでは、第１Ｂｐレンズ群Ｇ１Ｂｐは２枚以上の凸レンズを有し、第１Ｂｐレンズ群Ｇ１Ｂｐと第１Ｂｍレンズ群Ｇ１Ｂｍの無限遠合焦時の横倍率は共に負であることが望ましい。
【００４５】
第１Ｂｐレンズ群Ｇ１Ｂｐ及び第１Ｂｍレンズ群Ｇ１Ｂｍの無限遠合焦時の横倍率が共に負だと、第１Ａレンズ群Ｇ１Ａで発散された軸上光束は第１Ｂｐレンズ群Ｇ１Ｂｐにより収束され、第１Ｂｍレンズ群Ｇ１Ｂｍで再び発散される。このような構成をとることにより、第１Ｂレンズ群Ｇ１Ｂの像側主点が物体側へ移動することによる絞り径の抑制効果が強まり、小型軽量な光学系の実現に寄与する。
【００４６】
また、３次収差論によれば像面湾曲は画角の２乗に比例するため、広角レンズにおいて像面湾曲の補正は重要な課題である。像面湾曲を小さくするにはペッツバール和を抑えることが効果的であるが、本願のレンズ構成は絞りより物体側が負、像面側が正の屈折力のレトロフォーカスタイプに正の屈折力の第１Ｂレンズ群Ｇ１Ｂを追加したに近しい構成であるため、系全体での正のペッツバール和が大きくならないように第１Ｂレンズ群Ｇ１Ｂを構成する必要がある。第１Ｂｐレンズ群Ｇ１Ｂｐが２枚以上の凸レンズを含むことにより凸レンズの曲率が抑えられ、ペッツバール和の抑制に効果的である。
【００４７】
また、第１Ｂｐレンズ群Ｇ１Ｂｐの横倍率を負にすることにより第１Ｂｍレンズ群Ｇ１Ｂｍにおける軸上マージナル光線高は低くなる。従って、第１Ｂｍレンズ群Ｇ１Ｂｍで軸上マージナル光線を再び跳ね上げるためには凹レンズの曲率を強くする必要があるが、それに伴い第１Ｂｍレンズ群Ｇ１Ｂｍの負のペッツバール和の絶対値が大きくなってレンズ系全体でのペッツバール和を抑制することができる。
【００４８】
本発明の大口径広角レンズでは、以下に示す条件式（５）、（６）を満たすことが望ましい。
（５）−１．８＜β１Ｂｐ＜−０．６
（６）５０＜ν１Ｂｐ＜８０
但し、
β１Ｂｐ：第１Ｂｐレンズ群Ｇ１Ｂｐの無限遠合焦時の横倍率
ν１Ｂｐ：第１Ｂｐレンズ群Ｇ１Ｂｐ内の凸レンズのアッベ数の平均
とする。
【００４９】
条件式（５）は第１Ｂｐレンズ群Ｇ１Ｂｐの無限遠合焦時の横倍率に関して好ましい範囲を規定するものである。条件式（５）を満たすことにより第１Ｂｐレンズ群Ｇ１Ｂｐから第１Ｂｍレンズ群Ｇ１Ｂｍへ射出される軸上マージナル光線の射出角が適切に設定され、絞り径の縮小やペッツバール和の抑制に寄与する。
【００５０】
条件式（５）の下限を超え、第１Ｂｐレンズ群Ｇ１Ｂｐの負の横倍率の絶対値が大きくなると、第１Ｂｍレンズ群Ｇ１Ｂｍに入射する軸上マージナル光線高が高くなってしまう。従って、第１Ｂｍレンズ群Ｇ１Ｂｍによる光線の跳ね上げ効果を抑えるために、第１Ｂｍレンズ群内の凹面の曲率をきつくできないので、ペッツバール和の抑制が困難になる。一方、条件式（５）の上限を超え、第１Ｂｐレンズ群Ｇ１Ｂｐの負の横倍率の絶対値が小さくなると、第１Ｂｐレンズ群Ｇ１Ｂｐ内で軸上マージナル光線を大きく屈折させるために凸面の曲率を強くする必要が生じる。また第１Ｂｍレンズ群Ｇ１Ｂｍにおける軸上マージナル光線高が低くなりすぎるため、軸上マージナル光線を跳ね上げるためには凹面の曲率も強くする必要がある。よって第１Ｂｐレンズ群と第１Ｂｍレンズ群との間で曲率の強い面で発生する大きい収差を打ち消し合う関係となり、製造誤差敏感度が高くなるため好ましくない。
【００５１】
また、条件式（５）の下限値を−１．７に、また、上限値を−０．７にすることで、本発明の効果をより確実に達成することができる。
【００５２】
条件式（６）は第１Ｂｐレンズ群Ｇ１Ｂｐ内の凸レンズのアッベ数の平均に関して好ましい範囲を規定するものである。第１Ｂｐレンズ群Ｇ１Ｂｐでは軸上マージナル光線高が高いため、適切な硝材選択により軸上色収差補正が可能となる。一般に凸レンズに低分散硝材を使用することにより軸上色収差補正が行われるが、一般的な硝材は高分散だと高屈折率、低分散だと低屈折率になる性質がある。軸上色収差補正のために凸レンズに屈折率の低い低分散硝材を多用するとペッツバール和が大きくなってしまう。そこで条件式（６）を満たすように低屈折率低分散レンズと高屈折率高分散レンズを適切に組み合わせることで軸上色収差補正と像面湾曲補正を両立することができる。
【００５３】
条件式（６）の下限を超え、第１Ｂｐレンズ群Ｇ１Ｂｐ内の凸レンズのアッベ数の平均が小さくなると軸上色収差の補正能力が不足する。一方、条件式（６）の上限を超え、第１Ｂｐレンズ群Ｇ１Ｂｐ内の凸レンズのアッベ数の平均が大きくなると、低分散硝材は低屈折率になる性質より凸レンズの屈折率が低く偏りペッツバール和が大きくなって像面湾曲が悪化する。
【００５４】
また条件式（６）の下限値を５５に、また、上限値を７５にすることで、本発明の効果をより確実に達成することができる。
【００５５】
さらに本発明の大口径広角レンズでは、フォーカス群である第３レンズ群Ｇ３を１枚の正レンズで構成することが望ましい。これによりフォーカス群が軽量化され、高速で滑らかなコントラストＡＦが可能となる。
【００５６】
本発明の大口径広角レンズでは、以下に示す条件式（７）、（８）を満たすことが望ましい。
（７）０．１＜ｆ２／ｆ３＜０．４４
（８）０．５２＜ＳＩ／ｆ３＜１．０
但し、
ｆ２：第２レンズ群Ｇ２の焦点距離
ｆ３：第３レンズ群Ｇ３の焦点距離
ＳＩ：無限遠合焦時の絞りから像面までの長さ
とする。
【００５７】
条件式（７）は第２レンズ群Ｇ２と第３レンズ群Ｇ３の焦点距離の比について好ましい条件を規定するものである。条件式（７）を満たすことにより、軽量なフォーカス群で無限遠から最至近距離までの撮影距離全域において良好な結像性能を実現できる。
【００５８】
条件式（７）の下限を超え、第３レンズ群Ｇ３の屈折力が弱まるとフォーカス移動量が大きくなり、レンズ系の小型化が困難になる。また第２レンズ群Ｇ２の屈折力が強まると第３レンズ群Ｇ３へ入射する軸上光束の集束作用が強まるため、フォーカス時に第３レンズ群Ｇ３が光軸に沿って移動するときの第３レンズ群Ｇ３における軸上マージナル光線の高さ変動が大きくなり、フォーカス時の球面収差変動が増えて撮影距離全域で結像性能を良好に保つことが困難になる。一方、条件式（７）の上限を超え、第２レンズ群Ｇ２の屈折力が弱まると、第２レンズ群Ｇ２を通過する周辺画角の上光線を屈折させる作用が弱まるため第３レンズ群Ｇ３における周辺画角の上光線高が高くなる。一方で第３レンズ群Ｇ３の屈折力が強まるため、フォーカス時の上光線のフレアの変動が増え、撮影距離全域で結像性能を良好に保つことが困難になる。
【００５９】
また、条件式（７）の下限値を０．１５に、また、上限値を０．４にすることで、本発明の効果をより確実に達成することができる。
【００６０】
条件式（８）は無限遠合焦時の絞りから像面までの長さと第３レンズ群Ｇ３の焦点距離の比について好ましい条件を規定するものである。条件式（８）を満たすことによりウォブリング時の像高変化率が小さいレンズ系を実現できる。ウォブリング時の像高変化率を抑えることは、動画撮影時に画面に映る被写体の倍率変動が発生して撮影者が違和感を覚えることを防ぐために重要である。
【００６１】
条件式（８）の下限を超え、絞りから像面までの長さが短くなると第３レンズ群Ｇ３への周辺画角の主光線の入射角度が大きくなり、一方で第３レンズ群Ｇ３の屈折力が弱まるとフォーカス移動量が大きくなってウォブリング時のフォーカス群における主光線高変動が大きくなるため像高変化率を抑えることが困難になる。また、絞りから像面までの長さが短くなると第２レンズ群Ｇ２と第４レンズ群Ｇ４との間のフォーカス間隔が狭くなり、一方で第３レンズ群Ｇ３の屈折力が弱まってフォーカス移動量が大きくなると、フォーカスのためにフォーカス群が移動する空間の確保が困難になる。一方、条件式（８）の上限を超え、絞りから像面までの長さが長くなると光学系全長が長くなり、小型軽量な光学系の実現が困難になる。
【００６２】
また、条件式（８）の下限値を０．５５に、また、上限値を０．９にすることで、本発明の効果をより確実に達成することができる。
【００６３】
さらに本発明の大口径広角レンズでは、以下に示す条件式（９）を満たすことが望ましい。
（９）２．５＜ＥＸＰ／ＩＨ＜４．５
但し、
ＥＸＰ：無限遠合焦時の射出瞳から像面までの長さ
ＩＨ：最大像高
とする。
【００６４】
条件式（９）は無限遠合焦時の射出瞳から像面までの長さと最大像高の比に関して好ましい範囲を規定するものである。条件式（９）を満たすことにより、第４レンズ群Ｇ４の径を抑えつつ大型の撮像素子に対応した大口径広角レンズを実現できる。
【００６５】
条件式（９）の下限を超え、射出瞳が像面に近づくと像面への周辺画角の光線入射角が大きくなって撮像素子の受光部で光線がけられやすくなる。一方、条件式（９）の上限を超え、射出瞳が像面から遠ざかると第４レンズ群Ｇ４の径が大きくなって小型軽量な光学系の実現が困難になる。
【００６６】
また、条件式（９）の下限値を３．０に、また、上限値を４．２にすることで、本発明の効果をより確実に達成することができる。
【００６７】
次に、本発明の結像光学系に係る実施例のレンズ構成について説明する。なお、以下の説明ではレンズ構成を物体側から像側の順番で記載する。また、実施例中のＬｎの表記は、物体側からｎ番目のレンズのことを示している。
【実施例１】
【００６８】
図１は、本発明の実施例１の大口径広角レンズのレンズ構成図である。
【００６９】
第１レンズ群Ｇ１は、第１Ａレンズ群Ｇ１Ａと第１Ｂレンズ群Ｇ１Ｂより構成され、全体として負の屈折力を有している。
【００７０】
第１Ａレンズ群Ｇ１Ａは、物体側に凸面を向けた正メニスカスレンズＬ１１と、物体側に凸面を向けた負メニスカスレンズＬ１２と、物体側に凸面を向けた負メニスカスレンズＬ１３と、両凹形状の負レンズＬ１４と両凸形状の正レンズＬ１５とから成る接合レンズより構成され、全体として負の屈折力を有している。また、負メニスカスレンズＬ１３の像側の面は所定の非球面形状となっている。
【００７１】
第１Ｂレンズ群Ｇ１Ｂは、第１Ｂｐレンズ群Ｇ１Ｂｐと第１Ｂｍレンズ群Ｇ１Ｂｍより構成され、全体として正の屈折力を有している。
【００７２】
第１Ｂｐレンズ群Ｇ１Ｂｐは、両凸形状の正レンズＬ１６と、両凸形状の正レンズＬ１７より構成され、全体として正の屈折力を有している。
【００７３】
第１Ｂｍレンズ群Ｇ１Ｂｍは、両凹形状の負レンズＬ１８と、物体側に凹面を向けた負メニスカスレンズＬ１９で構成され、全体として負の屈折力を有している。
【００７４】
第１レンズ群Ｇ１と第２レンズ群Ｇ２の間には開口絞りが配置される。
【００７５】
第２レンズ群Ｇ２は、両凸形状の正レンズＬ２１と物体側に凹面を向けた負メニスカスレンズＬ２２とから成る接合レンズと、両凸形状の正レンズＬ２３とで構成されており、全体として正の屈折力を有している。また、両凸レンズＬ２３の像側の面は所定の非球面形状となっている。
【００７６】
第３レンズ群Ｇ３は、物体側に凸面を向けた正メニスカスレンズＬ３１で構成され、全体として正の屈折力を有しており、無限遠方から至近へのフォーカシングに際し、光軸に沿って物体側に向かって移動する。
【００７７】
第４レンズ群Ｇ４は、物体側に凸面を向けた負メニスカスレンズＬ４１と、両凸形状の正レンズＬ４２と物体側に凹面を向けた負メニスカスレンズＬ４３とから成る接合レンズで構成されており、全体として負の屈折力を有している。
【実施例２】
【００７８】
図６は、本発明の実施例２の大口径広角レンズのレンズ構成図である。
【００７９】
第１レンズ群Ｇ１は、第１Ａレンズ群Ｇ１Ａと第１Ｂレンズ群Ｇ１Ｂより構成され、全体として負の屈折力を有している。
【００８０】
第１Ａレンズ群Ｇ１Ａは、物体側に凸面を向けた正メニスカスレンズＬ１１と、物体側に凸面を向けた負メニスカスレンズＬ１２と、物体側に凸面を向けた負メニスカスレンズＬ１３と、両凹形状の負レンズＬ１４と、両凸形状の正レンズＬ１５より構成され、全体として負の屈折力を有している。また、負メニスカスレンズＬ１３の像側の面は所定の非球面形状となっている。
【００８１】
第１Ｂレンズ群Ｇ１Ｂは、第１Ｂｐレンズ群Ｇ１Ｂｐと第１Ｂｍレンズ群Ｇ１Ｂｍより構成され、全体として正の屈折力を有している。
【００８２】
第１Ｂｐレンズ群Ｇ１Ｂｐは、両凸形状の正レンズＬ１６と、両凸形状の正レンズＬ１７より構成され、全体として正の屈折力を有している。
【００８３】
第１Ｂｍレンズ群Ｇ１Ｂｍは、物体側に凸面を向けた負メニスカスレンズＬ１８と、物体側に凹面を向けた負メニスカスレンズＬ１９で構成され、全体として負の屈折力を有している。
【００８４】
第１レンズ群Ｇ１と第２レンズ群Ｇ２の間には開口絞りが配置される。
【００８５】
第２レンズ群Ｇ２は、両凸形状の正レンズＬ２１と物体側に凹面を向けた負メニスカスレンズＬ２２とから成る接合レンズと、両凸形状の正レンズＬ２３とで構成されており、全体として正の屈折力を有している。また、両凸レンズＬ２３の像側の面は所定の非球面形状となっている。
【００８６】
第３レンズ群Ｇ３は、物体側に凸面を向けた正メニスカスレンズＬ３１で構成され、全体として正の屈折力を有しており、無限遠方から至近へのフォーカシングに際し、光軸に沿って物体側に向かって移動する。
【００８７】
第４レンズ群Ｇ４は、物体側に凸面を向けた負メニスカスレンズＬ４１と、物体側に凹面を向けた正メニスカスレンズＬ４２と物体側に凹面を向けた負メニスカスレンズＬ４３とから成る接合レンズで構成されており、全体として負の屈折力を有している。
【実施例３】
【００８８】
図１１は、本発明の実施例３の大口径広角レンズのレンズ構成図である。
【００８９】
第１レンズ群Ｇ１は、第１Ａレンズ群Ｇ１Ａと第１Ｂレンズ群Ｇ１Ｂより構成され、全体として負の屈折力を有している。
【００９０】
第１Ａレンズ群Ｇ１Ａは、物体側に凸面を向けた正メニスカスレンズＬ１１と、物体側に凸面を向けた負メニスカスレンズＬ１２と、物体側に凸面を向けた負メニスカスレンズＬ１３と、両凹形状の負レンズＬ１４と両凸形状の正レンズＬ１５とから成る接合レンズより構成され、全体として負の屈折力を有している。また、負メニスカスレンズＬ１３の像側の面は所定の非球面形状となっている。
【００９１】
第１Ｂレンズ群Ｇ１Ｂは、第１Ｂｐレンズ群Ｇ１Ｂｐと第１Ｂｍレンズ群Ｇ１Ｂｍより構成され、全体として正の屈折力を有している。
【００９２】
第１Ｂｐレンズ群Ｇ１Ｂｐは、両凸形状の正レンズＬ１６と、両凸形状の正レンズＬ１７より構成され、全体として正の屈折力を有している。
【００９３】
第１Ｂｍレンズ群Ｇ１Ｂｍは、両凹形状の負レンズＬ１８と、物体側に凹面を向けた負メニスカスレンズＬ１９で構成され、全体として負の屈折力を有している。
【００９４】
第１レンズ群Ｇ１と第２レンズ群Ｇ２の間には開口絞りが配置される。
【００９５】
第２レンズ群Ｇ２は、両凸形状の正レンズＬ２１と物体側に凹面を向けた負メニスカスレンズＬ２２とから成る接合レンズと、両凸形状の正レンズＬ２３とで構成されており、全体として正の屈折力を有している。また、両凸レンズＬ２３の像側の面は所定の非球面形状となっている。
【００９６】
第３レンズ群Ｇ３は、物体側に凸面を向けた正メニスカスレンズＬ３１で構成され、全体として正の屈折力を有しており、無限遠方から至近へのフォーカシングに際し、光軸に沿って物体側に向かって移動する。
【００９７】
第４レンズ群Ｇ４は、物体側に凸面を向けた負メニスカスレンズＬ４１と、物体側に凹面を向けた正メニスカスレンズＬ４２と物体側に凹面を向けた負メニスカスレンズＬ４３とから成る接合レンズで構成されており、全体として負の屈折力を有している。
【実施例４】
【００９８】
図１６は、本発明の実施例４の大口径広角レンズのレンズ構成図である。
【００９９】
第１レンズ群Ｇ１は、第１Ａレンズ群Ｇ１Ａと第１Ｂレンズ群Ｇ１Ｂより構成され、全体として負の屈折力を有している。
【０１００】
第１Ａレンズ群Ｇ１Ａは、物体側に凸面を向けた負メニスカスレンズＬ１１と、物体側に凸面を向けた負メニスカスレンズＬ１２と、両凹形状の負レンズＬ１３と両凸形状の正レンズＬ１４とから成る接合レンズより構成され、全体として負の屈折力を有している。また、負メニスカスレンズＬ１２の像側の面は所定の非球面形状となっている。
【０１０１】
第１Ｂレンズ群Ｇ１Ｂは、第１Ｂｐレンズ群Ｇ１Ｂｐと第１Ｂｍレンズ群Ｇ１Ｂｍより構成され、全体として正の屈折力を有している。
【０１０２】
第１Ｂｐレンズ群Ｇ１Ｂｐは、両凸形状の正レンズＬ１５と、物体側に凹面を向けた正メニスカスレンズＬ１６より構成され、全体として正の屈折力を有している。
【０１０３】
第１Ｂｍレンズ群Ｇ１Ｂｍは、物体側に凸面を向けた負メニスカスレンズＬ１７と、物体側に凹面を向けた負メニスカスレンズＬ１８で構成され、全体として負の屈折力を有している。
【０１０４】
第１レンズ群Ｇ１と第２レンズ群Ｇ２の間には開口絞りが配置される。
【０１０５】
第２レンズ群Ｇ２は、両凸形状の正レンズＬ２１と物体側に凹面を向けた負メニスカスレンズＬ２２とから成る接合レンズと、物体側に凹面を向けた正メニスカスレンズＬ２３とで構成されており、全体として正の屈折力を有している。また、正メニスカスレンズＬ２３の像側の面は所定の非球面形状となっている。
【０１０６】
第３レンズ群Ｇ３は、物体側に凸面を向けた正メニスカスレンズＬ３１で構成され、全体として正の屈折力を有しており、無限遠方から至近へのフォーカシングに際し、光軸に沿って物体側に向かって移動する。
【０１０７】
第４レンズ群Ｇ４は、物体側に凸面を向けた負メニスカスレンズＬ４１と、両凸形状の正レンズＬ４２と物体側に凹面を向けた負メニスカスレンズＬ４３とから成る接合レンズで構成されており、全体として負の屈折力を有している。
【実施例５】
【０１０８】
図２１は、本発明の実施例５の大口径広角レンズのレンズ構成図である。
【０１０９】
第１レンズ群Ｇ１は、第１Ａレンズ群Ｇ１Ａと第１Ｂレンズ群Ｇ１Ｂより構成され、全体として負の屈折力を有している。
【０１１０】
第１Ａレンズ群Ｇ１Ａは、物体側に凸面を向けた正メニスカスレンズＬ１１と、物体側に凸面を向けた負メニスカスレンズＬ１２と、物体側に凸面を向けた負メニスカスレンズＬ１３と、物体側に凹面を向けた負メニスカスレンズＬ１４と物体側に凹面を向けた正メニスカスレンズＬ１５とから成る接合レンズより構成され、全体として負の屈折力を有している。また、負メニスカスレンズＬ１３の像側の面は所定の非球面形状となっている。
【０１１１】
第１Ｂレンズ群Ｇ１Ｂは、第１Ｂｐレンズ群Ｇ１Ｂｐと第１Ｂｍレンズ群Ｇ１Ｂｍより構成され、全体として正の屈折力を有している。
【０１１２】
第１Ｂｐレンズ群Ｇ１Ｂｐは、物体側に凸面を向けた負メニスカスレンズＬ１６と両凸形状の正レンズＬ１７とから成る接合レンズと、両凸形状の正レンズＬ１８より構成され、全体として正の屈折力を有している。
【０１１３】
第１Ｂｍレンズ群Ｇ１Ｂｍは、両凹形状の負レンズＬ１９で構成され、全体として負の屈折力を有している。
【０１１４】
第１レンズ群Ｇ１と第２レンズ群Ｇ２の間には開口絞りが配置される。
【０１１５】
第２レンズ群Ｇ２は、両凸形状の正レンズＬ２１と物体側に凹面を向けた負メニスカスレンズＬ２２とから成る接合レンズと、両凸形状の正レンズＬ２３とで構成されており、全体として正の屈折力を有している。また、両凸レンズＬ２３の像側の面は所定の非球面形状となっている。
【０１１６】
第３レンズ群Ｇ３は、物体側に凸面を向けた正メニスカスレンズＬ３１で構成され、全体として正の屈折力を有しており、無限遠方から至近へのフォーカシングに際し、光軸に沿って物体側に向かって移動する。
【０１１７】
第４レンズ群Ｇ４は、物体側に凸面を向けた負メニスカスレンズＬ４１と、両凸形状の正レンズＬ４２と物体側に凹面を向けた負メニスカスレンズＬ４３とから成る接合レンズで構成されており、全体として負の屈折力を有している。
【実施例６】
【０１１８】
図２６は、本発明の実施例６の大口径広角レンズのレンズ構成図である。
【０１１９】
第１レンズ群Ｇ１は、第１Ａレンズ群Ｇ１Ａと第１Ｂレンズ群Ｇ１Ｂより構成され、全体として負の屈折力を有している。
【０１２０】
第１Ａレンズ群Ｇ１Ａは、物体側に凸面を向けた負メニスカスレンズＬ１１と、物体側に凸面を向けた負メニスカスレンズＬ１２と、物体側に凸面を向けた負メニスカスレンズＬ１３と、両凹形状の負レンズＬ１４と両凸形状の正レンズＬ１５とから成る接合レンズより構成され、全体として負の屈折力を有している。また、負メニスカスレンズＬ１２の像側の面は所定の非球面形状となっている。
【０１２１】
第１Ｂレンズ群Ｇ１Ｂは、第１Ｂｐレンズ群Ｇ１Ｂｐと第１Ｂｍレンズ群Ｇ１Ｂｍより構成され、全体として正の屈折力を有している。
【０１２２】
第１Ｂｐレンズ群Ｇ１Ｂｐは、物体側に凸面を向けた正メニスカスレンズＬ１６と、物体側に凹面を向けた正メニスカスレンズＬ１７より構成され、全体として正の屈折力を有している。
【０１２３】
第１Ｂｍレンズ群Ｇ１Ｂｍは、物体側に凸面を向けた負メニスカスレンズＬ１８と、物体側に凹面を向けた負メニスカスレンズＬ１９で構成され、全体として負の屈折力を有している。
【０１２４】
第１レンズ群Ｇ１と第２レンズ群Ｇ２の間には開口絞りが配置される。
【０１２５】
第２レンズ群Ｇ２は、両凸形状の正レンズＬ２１と物体側に凹面を向けた負メニスカスレンズＬ２２とから成る接合レンズと、両凸形状の正レンズＬ２３とで構成されており、全体として正の屈折力を有している。また、両凸レンズＬ２３の像側の面は所定の非球面形状となっている。
【０１２６】
第３レンズ群Ｇ３は、物体側に凸面を向けた正メニスカスレンズＬ３１で構成され、全体として正の屈折力を有しており、無限遠方から至近へのフォーカシングに際し、光軸に沿って物体側に向かって移動する。
【０１２７】
第４レンズ群Ｇ４は、物体側に凸面を向けた負メニスカスレンズＬ４１と、両凸形状の正レンズＬ４２と物体側に凹面を向けた負メニスカスレンズＬ４３とから成る接合レンズで構成されており、全体として負の屈折力を有している。
【０１２８】
次に、本発明の広角レンズ系に係る実施例の数値実施例と条件式対応値について説明する。
【０１２９】
［面データ］において、面番号は物体側から数えたレンズ面又は開口絞りの番号、ｒは各レンズ面の曲率半径、ｄは各レンズ面の間隔、ｎｄはｄ線（波長５８７．５６ｎｍ）に対する屈折率、ｖｄはｄ線に対するアッベ数を示している。
【０１３０】
面番号に付した＊（アスタリスク）は、そのレンズ面形状が非球面であることを示している。
【０１３１】
面番号に付した（絞り）は、その位置に開口絞りが位置していることを示している。平面又は開口絞りに対する曲率半径には∞（無限大）を記入している。
【０１３２】
［非球面データ］には、［面データ］において＊を付したレンズ面の非球面形状を与える各係数の値を示している。非球面の形状は、下記の式で表される。以下の式において、光軸に直交する方向への光軸からの変位をｙ、非球面と光軸の交点から光軸方向への変位（サグ量）をｚ、基準球面の曲率半径をｒ、コーニック係数をＫで表している。また、４、６、８、１０、１２、１４、１６次の非球面係数をそれぞれ、Ａ４、Ａ６、Ａ８、Ａ１０、Ａ１２、Ａ１４、Ａ１６で表している。
【０１３３】
2018205527.tif 000003
【０１３４】
［各種データ］には、ズーム比及び各焦点距離状態における焦点距離等の値を示している。
【０１３５】
［可変間隔データ］には、各焦点距離状態における可変間隔及びＢＦの値を示している。
【０１３６】
［レンズ群データ］には、各レンズ群を構成する最も物体側の面番号及び群全体の合成焦点距離を示している。
【０１３７】
また、各実施例に対応する収差図において、ｄ、ｇ、Ｃはそれぞれｄ線、ｇ線、Ｃ線を表しており、△Ｓ、△Ｍはそれぞれサジタル像面、メリジオナル像面を表している。
【０１３８】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【０１３９】
数値実施例１
単位：mm
[面データ]
面番号            r              d               nd             vd
物面                 ∞           (d0)                               
1             125.2460         2.9671        1.51680          64.20
2             404.5429         0.5000
3              34.3690         1.4000        2.00100          29.13
4              16.3986         5.0945
5              26.0000         1.5000        1.58913          61.25
6＊            15.5760        10.6088
7             -30.5000         1.0319        1.43700          95.10
8             170.0033         2.9642        2.00100          29.13
9             -79.7237         7.2064
10              60.8883         3.0231        1.91082          35.25
11            -300.0000         0.8578
12              85.0000         5.6577        1.43700          95.10
13             -31.8218         1.0735
14             -60.7984         0.9000        1.51742          52.15
15              40.9323         5.7178
16             -20.3273         0.9000        1.67270          32.17
17             -39.4374         1.4174
18（絞り）           ∞         0.9946
19              68.6066        10.3000        1.59282          68.63
20             -20.1400         0.9000        1.74950          35.33
21             -34.7714         0.1500
22              55.4013         5.5346        1.69350          53.20
23＊           -69.8881          (d23)
24              25.0000         2.7637        1.59282          68.63
25              47.3486          (d25)
26              35.4444         0.9000        1.80518          25.46
27              17.8877         3.7091
28             660.0000         6.0973        1.43700          95.10
29             -17.1474         0.9000        1.90366          31.32
30             -26.4237        15.5341
31                   ∞         2.0000        1.51680          64.20
32                   ∞           (BF)
[非球面データ]
6面           23面
K      -1.28713E+00    0.00000E+00
A4       3.03098E-05    1.05989E-05
A6      -1.10729E-07   -8.95266E-09
A8       1.95111E-09    8.67772E-12
A10      -1.86588E-11    3.47060E-14
A12       9.78438E-14   -1.61820E-16
A14      -2.62044E-16    0.00000E+00
A16       2.69032E-19    0.00000E+00
[各種データ]
無限遠       40倍距離
焦点距離             16.45          16.33
Fナンバー             1.46           1.46
全画角2ω            84.21          84.15
像高Y              14.20          14.20
レンズ全長           109.00         109.00
[可変間隔データ]
無限遠        40倍距離  
d0               ∞        635.6343
d23           3.3044          2.8751
d25           2.0917          2.5210
BF           1.0000          1.0000
[レンズ群データ]
群            始面         焦点距離
G1              1            -25.91
G2             19             24.01
G3             24             85.41
G4             26            -82.42
G1A             1            -25.04
G1B            10            168.02
G1Bp           10             28.72
G1Bm           14            -25.81
【０１４０】
数値実施例２
単位：mm
[面データ]
面番号            r              d               nd             vd
物面                 ∞           (d0)                              
1             100.6872         3.3242        1.51680          64.20
2             236.8546         0.5000
3              39.4688         1.4000        2.00100          29.13
4              16.4449         4.0477
5              22.5196         1.5000        1.58913          61.25
6＊            15.6621        10.5586
7             -26.1497         1.1604        1.43700          95.10
8              79.7110         1.2000
9            1000.0000         3.5817        1.95375          32.32
10             -52.5650         2.9643
11              42.3963         4.1580        1.90043          37.37
12            -753.9792         1.1775
13              56.0924         5.5232        1.43700          95.10
14             -43.3855         0.5000
15             181.1714         0.9000        1.51742          52.15
16              20.8110         6.6312
17             -20.3921         0.9000        1.67270          32.17
18             -55.6488         2.1057
19（絞り）           ∞         0.2671
20              41.4805        12.9236        1.59282          68.63
21             -17.7486         0.9000        1.74950          35.33
22             -32.8047         0.1459
23              48.8278         5.3987        1.69350          53.20
24＊           -75.9402          (d24)
25              30.5407         2.7492        1.59282          68.63
26              78.1622          (d26)
27              38.6406         0.9000        1.76182          26.61
28              17.6558         4.1056
29             -73.5847         7.0542        1.43700          95.10
30             -14.0977         0.9000        1.90366          31.32
31             -19.5528        13.3839
32                   ∞         2.0000        1.51680          64.20
33                   ∞           (BF)
[非球面データ]
6面           24面
K      -9.78532E-01    0.00000E+00
A4       1.92925E-05    1.56243E-05
A6      -2.13702E-08   -1.33093E-08
A8       6.18655E-10    2.09458E-11
A10      -7.40561E-12    1.08263E-13
A12       4.56561E-14   -7.24322E-16
A14      -1.49509E-16    0.00000E+00
A16       1.80506E-19    0.00000E+00
[各種データ]
無限遠       40倍距離
焦点距離             16.44          16.33
Fナンバー             1.45           1.45
全画角2ω            84.91          84.91
像高Y              14.20          14.20
レンズ全長           109.00         109.00
[可変間隔データ]
無限遠       40倍距離 
d0               ∞       636.7527
d24          3.3035         2.8735
d26          1.8358         2.2657
BF           1.0000         1.0000
[レンズ群データ]
群            始面         焦点距離
G1              1            -22.36
G2             20             21.77
G3             25             82.78
G4             27            -84.82
G1A             1            -23.15
G1B            11            130.09
G1Bp           11             26.46
G1Bm           15            -21.99
【０１４１】
数値実施例３
単位：mm
[面データ]
面番号            r              d               nd             vd
物面                 ∞           (d0)
1              95.2257         4.0453        1.51680          64.20
2             357.0935         0.5000
3              41.6162         1.4000        2.00100          29.13
4              16.3588         4.5656
5              23.9246         1.5000        1.58913          61.25
6＊            16.1531        10.4950
7             -25.6306         1.0000        1.43700          95.10
8             439.0065         3.6637        2.00100          29.13
9             -52.3922         7.3261
10              61.0026         3.5501        1.87070          40.73
11            -219.7427         0.6000
12             129.3934         5.6837        1.43700          95.10
13             -32.8059         0.5000
14             -88.4504         0.9000        1.51823          58.96
15              38.7742         5.5159
16             -21.9599         0.9000        1.73800          32.26
17             -45.6391         0.2000
18（絞り）           ∞         1.9831
19              48.7365        10.4963        1.59282          68.63
20             -20.6660         0.9000        1.91082          35.25
21             -31.1743         1.3706
22              52.5444         4.5915        1.69350          53.20
23＊           -96.7970          (d23)
24              27.0036         2.9000        1.59282          68.63
25              63.0775          (d25)
26              44.9637         0.9000        1.80518          25.46
27              18.4018         3.4985
28            -480.5824         6.4565        1.59282          68.63
29             -15.4094         0.9000        1.72047          34.71
30             -38.2503        14.3232
31                   ∞         2.0000        1.51680          64.20
32                   ∞           (BF)
[非球面データ]
6面           23面
K       -1.21506E+00    0.00000E+00
A4        2.48353E-05    1.34319E-05
A6       -1.44515E-08   -1.28726E-08
A8        2.60789E-10    4.59671E-11
A10       -1.78767E-12   -7.54550E-15
A12        6.09349E-15   -3.84023E-16
A14       -8.73384E-18    0.00000E+00
A16       -1.91956E-21    0.00000E+00
[各種データ]
無限遠        40倍距離
焦点距離             16.45          16.32
Fナンバー             1.45           1.45
全画角2ω            84.74          84.76
像高Y              14.20          14.20
レンズ全長           109.00         109.00
[可変間隔データ]
無限遠        40倍距離                   
d0                   ∞       637.8721
d23              3.1392         2.7385
d25              2.1943         2.5950
BF               1.0000         1.0000
[レンズ群データ]
群            始面         焦点距離
G1              1            -26.64
G2             19             23.67
G3             24             77.33
G4             26            -72.02
G1A             1            -27.87
G1B            10            270.57
G1Bp           10             30.24
G1Bm           14            -26.21
【０１４２】
数値実施例４
単位：mm
[面データ]
面番号            r              d               nd             vd
物面                 ∞           (d0)
1              29.7068         1.4000        1.91082          35.25
2              16.3123         5.9765
3              24.4270         1.5000        1.59201          67.02
4＊            15.0446        11.2811
5             -29.5919         1.8366        1.43700          95.10
6              86.2538         4.8970        2.00100          29.13
7             -66.3583        11.3007
8              40.4099         4.3428        1.77250          49.62
9            -396.1693         1.4000
10            -200.0000         3.0776        1.43700          95.10
11             -46.0612         0.1500
12              42.0657         0.9000        1.72825          28.32
13              24.1754         6.4301
14             -21.7511         0.9000        1.80518          25.46
15             -53.2348         0.2000
16（絞り）           ∞         1.8007
17              37.2472        10.2599        1.59282          68.63
18             -20.0538         0.9000        1.91082          35.25
19             -28.5443         0.1537
20           -1670.3205         2.1183        1.59201          67.02
21＊           -69.6590          (d21)
22              27.7533         2.8269        1.59282          68.63
23              69.6966          (d23)
24              41.4875         0.9000        1.74330          49.22
25              18.8883         2.8398
26              77.6924         4.0856        1.83481          42.72
27             -33.5741         0.9000        1.90366          31.32
28            -162.3748        15.4224
29                   ∞         2.0000        1.51680          64.20
30                   ∞           (BF)
[非球面データ]
4面           21面
K          -4.20578E-01    0.00000E+00
A4          -5.35186E-06    1.77536E-05
A6          -7.13119E-08   -7.82012E-09
A8           3.53669E-10    1.91571E-10
A10          -4.97187E-12   -1.01910E-12
A12           2.25499E-14    2.48969E-15
A14          -5.37230E-17    0.00000E+00
A16           0.00000E+00    0.00000E+00
[各種データ]
無限遠       40倍距離
焦点距離             16.43          16.33
Fナンバー             1.45           1.45
全画角2ω            84.19          84.04
像高Y              14.20          14.20
レンズ全長           108.00         108.00
[可変間隔データ]
無限遠        40倍距離
d0                   ∞       637.3887
d21              3.6679         3.1551
d23              3.5326         4.0454
BF               1.0000         1.0000
[レンズ群データ]
群            始面         焦点距離
G1              1            -29.74
G2             17             26.87
G3             22             75.89
G4             24           -167.14
G1A             1            -38.18
G1B             8           2381.82
G1Bp            8             36.58
G1Bm           12            -28.08
【０１４３】
数値実施例５
単位：mm
[面データ]
面番号            r              d               nd             vd
物面                 ∞           (d0)
1              74.7843         3.5237        1.51680          64.20
2             146.1386         0.1500
3              27.6590         1.4000        2.00100          29.13
4              14.3489         6.5548
5              29.0436         1.5000        1.58913          61.25
6＊            14.6787         8.5331
7             -25.7342         1.0000        1.43700          95.10
8            -132.5227         2.3968        2.00100          29.13
9             -54.9184         2.4217
10              47.2774         0.9000        1.80518          25.46
11              30.0000         5.3800        1.90043          37.37
12            -137.3500         2.9301
13             123.8251         4.9415        1.49700          81.61
14             -31.7350         1.7682
15             -34.8493         0.9000        1.65844          50.86
16              24.7844         4.8578
17（絞り）           ∞         1.6941
18              37.1933        13.1129        1.59282          68.63
19             -20.7831         0.9000        1.74950          35.33
20             -38.2911         0.1500
21              49.4051         6.2262        1.59201          67.02
22＊           -42.8067          (d22)
23              24.5399         2.6000        1.59282          68.63
24              39.9642          (d24)
25              69.9507         0.9000        1.80000          29.84
26              19.4382         3.0576
27             848.9719         6.9370        1.43700          95.10
28             -12.7121         0.9000        2.00100          29.13
29             -18.4130        13.2500
30                   ∞         2.0000        1.51680          64.20
31                   ∞           (BF)
[非球面データ]
6面           22面
K          -7.87255E-01    0.00000E+00
A4           1.23060E-05    1.28481E-05
A6          -4.58967E-08   -2.34271E-08
A8           4.71467E-10    1.26978E-10
A10          -5.34441E-12   -5.47682E-13
A12           3.45392E-14    9.88849E-16
A14          -1.52463E-16    0.00000E+00
A16           1.03760E-19    0.00000E+00
[各種データ]
無限遠       40倍距離
焦点距離             16.44          16.32
Fナンバー             1.45           1.45
全画角2ω            83.76          83.81
像高Y              14.20          14.20
レンズ全長           108.50         108.50
[可変間隔データ]
無限遠        40倍距離
d0                   ∞       636.7264
d22              3.4132         2.9539
d24              3.2010         3.6603
BF               1.0000         1.0000
[レンズ群データ]
群            始面         焦点距離
G1              1            -20.55
G2             18             21.50
G3             23            100.92
G4             25            -68.24
G1A             1            -19.02
G1B            10             91.87
G1Bp           10             24.02
G1Bm           15            -21.87
【０１４４】
数値実施例６
単位：mm
[面データ]
面番号            r              d               nd             vd
物面                 ∞           (d0)
1              36.3560         1.4000        1.91082          35.25
2              19.6782         2.9306
3              23.3439         1.5000        1.59201          67.02
4＊            16.4423         5.0475
5              33.5393         1.5698        1.49700          81.61
6              20.4459         9.5359
7             -34.1263         1.0002        1.43700          95.10
8              94.8850         3.9111        2.00100          29.13
9             -99.4044         6.9820
10              36.4242         4.0936        1.88300          40.80
11             211.4628         1.4000
12            -384.1715         3.7695        1.49700          81.61
13             -40.9155         1.6740
14              30.9691         0.9000        1.60342          38.01
15              20.0089         7.0945
16             -19.4954         0.9000        1.78472          25.72
17             -86.5897         1.0449
18（絞り）           ∞         0.9551
19              29.6354        12.4657        1.59282          68.63
20             -19.1175         0.9000        1.91082          35.25
21             -29.3199         0.7067
22              47.9016         3.5297        1.59201          67.02
23＊          -100.0000          (d23)
24              28.2698         2.6610        1.59282          68.63
25              61.9503          (d25)
26              32.3972         0.9000        1.71700          47.98
27              17.8241         3.5563
28             264.0007         3.1615        1.70154          41.15
29             -45.5883         0.9000        1.90366          31.32
30            -125.2049        15.3103
31                   ∞         2.0000        1.51680          64.20
32                   ∞           (BF)
[非球面データ]
4面           23面
K          -2.17940E-01    0.00000E+00
A4          -5.51944E-06    2.40325E-05
A6          -4.85282E-08    6.31999E-09
A8           3.49561E-10    4.65758E-11
A10          -3.07066E-12    3.61472E-13
A12           1.08195E-14   -9.18950E-16
A14          -1.79912E-17    0.00000E+00
A16           0.00000E+00    0.00000E+00
[各種データ]
無限遠       40倍距離
焦点距離             16.46          16.32
Fナンバー             1.45           1.45
全画角2ω            84.92          84.89
像高Y              14.20          14.20
レンズ全長           108.50         108.50
[可変間隔データ]
無限遠       40倍距離
d0                   ∞       637.0828
d23              3.6349         3.1249
d25              2.0621         2.5721
BF               1.0000         1.0000
[レンズ群データ]
群            始面         焦点距離
G1              1            -19.63
G2             19             21.51
G3             24             85.21
G4             26            -85.00
G1A             1            -27.79
G1B            10            591.35
G1Bp           10             33.70
G1Bm           14            -23.13
【０１４５】
また、［条件式対応値］には、各条件式に対応する各実施例の対応値の一覧を示す。
【０１４６】
［条件式対応値］
条件式１  条件式２  条件式３  条件式４  条件式５
実施例   f1/f    f1A/f1B    f1A/f4   D1B/D1S    β1Bp
1     -1.58     -0.15     0.30      0.63      -1.17
2     -1.36     -0.18     0.27      0.58      -1.21
3     -1.62     -0.10     0.39      0.66      -1.04
4     -1.81     -0.02     0.23      0.69      -0.81
5     -1.25     -0.21     0.28      0.56      -1.51
6     -1.19     -0.05     0.33      0.62      -1.38
条件式６  条件式７  条件式８  条件式９
実施例  ν1Bp     f2/f3     SI/f3     EXP/IH
1     65.18     0.28      0.66      3.56
2     66.24     0.26      0.69      3.90
3     67.92     0.31      0.73      3.69
4     72.36     0.35      0.69      3.41
5     59.49     0.21      0.59      3.96
6     61.21     0.25      0.63      3.32
【符号の説明】
【０１４７】
Ｇ１    第１レンズ群
Ｇ１Ａ    第１Ａレンズ群
Ｇ１Ｂ    第１Ｂレンズ群
Ｇ１Ｂｐ    第１Ｂｐレンズ群
Ｇ１Ｂｍ    第１Ｂｍレンズ群
Ｇ２    第２レンズ群
Ｇ３    第３レンズ群
Ｇ４    第４レンズ群
Ｓ      開口絞り
Ｆ      フィルター
Ｉ      像面
【図１】
2018205527.tif 000004
【図２】
2018205527.tif 000005
【図３】
2018205527.tif 000006
【図４】
2018205527.tif 000007
【図５】
2018205527.tif 000008
【図６】
2018205527.tif 000009
【図７】
2018205527.tif 000010
【図８】
2018205527.tif 000011
【図９】
2018205527.tif 000012
【図１０】
2018205527.tif 000013
【図１１】
2018205527.tif 000014
【図１２】
2018205527.tif 000015
【図１３】
2018205527.tif 000016
【図１４】
2018205527.tif 000017
【図１５】
2018205527.tif 000018
【図１６】
2018205527.tif 000019
【図１７】
2018205527.tif 000020
【図１８】
2018205527.tif 000021
【図１９】
2018205527.tif 000022
【図２０】
2018205527.tif 000023
【図２１】
2018205527.tif 000024
【図２２】
2018205527.tif 000025
【図２３】
2018205527.tif 000026
【図２４】
2018205527.tif 000027
【図２５】
2018205527.tif 000028
【図２６】
2018205527.tif 000029
【図２７】
2018205527.tif 000030
【図２８】
2018205527.tif 000031
【図２９】
2018205527.tif 000032
【図３０】
2018205527.tif 000033